(57)【特許請求の範囲】
【請求項１】
生体情報に基づいて認証を行う生体認証装置であって、
指の腹部分と接する指先底面部と、
前記指先底面部と略垂直に接続し、前記指の先端と所定の角度で接する面を有する指先面部と、
前記指先面部および前記指先底面部と接続し、前記指の側面と対抗する面を有する指先側面部と、
から構成される指先置き部を備え、
前記指先面部は第１の面と第２の面を有し、前記所定の角度は前記第１の面と前記第２の面によりなす鈍角であることを特徴とする生体認証装置。
【請求項２】
請求項１に記載の生体認証装置であって、
前記指先置き部は、前記指先面部と接続する半円状の指先ガイドを備える、ことを特徴とする生体認証装置。
【請求項３】
請求項１または２に記載の生体認証装置であって、
前記指の根元と接する指元置き部と、
前記指を撮影するための撮影窓部と、を備え、
前記指先底面部と前記撮影窓部との間には第１の段差を構成し、
前記指元置き部と前記撮影窓部との間には第２の段差を構成し、
前記第１の段差および前記第２の段差は前記撮影窓部から離れた位置に配置すること、を特徴とする生体認証装置。
【請求項４】
請求項１から３のいずれか１つに記載の生体認証装置であって、
外部装置と有線で接続し通信を送受信する外部接続部と、
前記外部装置と無線で接続し、通信を送受信する無線通信部と、
当該生体認証装置の電源の入力および切断の切り替えをする切替部と、
前記切替部の入力により電源の供給をする電源部と、
前記切替部が第１の方向に入力されたことを検知した場合に電源を入れるとともに前記外部接続部による通信を選択し、前記切替部が第２の方向に入力されたことを検知した場合に電源を入れるとともに前記無線通信部による通信を選択する制御部とを備えること、を特徴とする生体認証装置。
【請求項５】
請求項４に記載の生体認証装置であって、
前記外部装置から受信した情報を表示する表示部と、
前記表示部の表示を操作する入力部と、を備え、
前記制御部は、
前記表示部に表示された前記受信された情報のうち、前記表示部に表示しきれない情報を前記入力部の入力により、切り替えて表示をさせることを特徴とする生体認証装置。
【請求項６】
請求項４または５に記載の生体認証装置であって、
挿入された情報記憶装置に対し情報の読み書きを行うスロットと、
指に近赤外光を照射する発光部と、
指を透過した透過光を撮影する撮影部と、を備え、
前記情報記憶装置に生体情報が記憶されている場合、
前記制御部は、前記撮影部で撮影した生体情報と前記記憶されている生体情報の照合を、前記制御部が実行する、前記情報記憶装置に実行させる、或いは前記制御部が実行するとともに前記情報記憶装置に実行させること、を特徴とする生体認証装置。
【請求項７】
請求項１から６のいずれか１つに記載された生体認証装置であって、
前記指先側面部は、第３の面と前記第３の面に対抗する第４の面を備え、
前記第３の面は、前記第１の面と前記指先底面部に接続し、
前記第４の面は、前記第２の面と前記指先底面部に接続することを、特徴とする生体認証装置。
【請求項８】
請求項２に記載の生体認証装置であって、
前記指先ガイドは、半円状の段差を備えるおよび／または前記指先置き部とは異なる色を有することを特徴とする生体認証装置。
【請求項９】
請求項１から８のいずれか１つに記載の生体認証装置であって、
前記指先面部、前記指先側面部、前記指先底面部は、一体として形成されることを特徴とする生体認証装置。
【発明の詳細な説明】
【技術分野】
【０００１】
本発明は、生体認証装置に関する。
【背景技術】
【０００２】
生体情報を用いて利用者を認証する生体認証装置が様々な機器やシステムで利用されている。生体認証装置で本人認証する際には、利用者は指や目といった身体の所定部位を認証装置にかざす動作または覗く動作（認証操作）を行うことで生体情報を読取りし、生体情報から抽出した特徴量と、あらかじめ本人が登録した生体情報の特徴量とを照合して照合一致度を算出し、一致度が所定の閾値を超えるか否かによって、本人の判定を行う。【０００３】
本発明の背景技術に、特開２０１１−２９８８号公報（特許文献１）がある。この公報には、「指が短く細い子供の指でも大人と分けて別な専用の指静脈認証装置を準備することなく、認証処理を行うことができる指静脈認証装置を提供する。」という技術が記載されている（要約参照）。また、別の背景技術として、特開２０１３−１４９１１５号公報がある。この公報には「指根元部位の静脈の圧迫による認証率低下を軽減することが可能な指静脈認証装置を提供する。」という技術が記載されている（要約参照）。
【先行技術文献】
【特許文献】
【０００４】
【特許文献１】特開２０１１−２９８８号公報
【特許文献２】特開２０１３−１４９１１５号公報
【発明の概要】
【発明が解決しようとする課題】
【０００５】
指紋認証装置や指静脈認証装置等、指を定められた位置に置き、カメラや静電センサ等の各種センサにて生体情報を取得する生体認証装置において、認証ごとに定められた位置に指を置くことが難しい。そのため、登録時と認証時で取得できる生体情報が異なってしまい、これにより認証精度が劣化するという問題があった。【０００６】
この問題を解決するために、従来の生体認証装置では、指先を置く部分に図７に示すような指先の形状に似た窪みを設置し、指先が前後左右に動くことを制限し、毎回同じ位置に指を置くことが可能な構成になっていていた。しかし、指の太さには個人差があり、窪みよりも細い指を置いた場合には、左右方向のずれを制限することができなかった。【０００７】
また、特開２０１１−２９８８号公報では、中間ガイドを設けることで長さが長い指と短い指の両方に対応できる装置が提案されている。しかし、この装置では様々な長さの指に対応するため、前ガイドに届かない短い指では前後方向の動きを制限できないため、前後方向のずれを制限することは難しい。【０００８】
また、特開２０１３−１４９１１５号公報ではＶ字型の指置き台にて、指の太さに関わらず左右方向のずれを制限する装置が提案されている。しかし、細い指と太い指では撮影素子からの距離が異なってしまうため、焦点距離をどちらか一方にあわせるともう一方の焦点が合わなくなり正しい画像が撮影できない可能性がある。【０００９】
そこで本発明は、指の太さに個人差がある場合であっても安定した指置きを可能な生体認証装置を提供する。
【課題を解決するための手段】
【００１０】
上記課題を解決するための一つの手段として、生体情報に基づいて認証を行う生体認証装置であって、指の腹部分と接する指先底面部と、指先底面部と略垂直に接続し、指の先端と所定の角度で接する面を有する指先面部と、指先面部および指先底面部と接続し、指の側面と対抗する面を有する指先側面部と、から構成される指先置き部を備え、指先面部は第１の面と第２の面を有し、所定の角度は第１の面と第２の面によりなす鈍角であることを特徴とする生体認証装置を提供する。
【発明の効果】
【００１１】
本発明によれば、指を定められた位置に置き、生体情報を取得する生体認証装置において、指の太さに関わらず、位置ずれを抑制して指を置くことができる。これにより、登録時と認証時で同じ生体情報を取得することができるため、生体認証の認証精度を向上することができる。
上記した以外の課題、構成及び効果は、以下の実施形態の説明により明らかにされる。
【図面の簡単な説明】
【００１２】
【図１】指静脈認証装置の全体形状を示す外観図である。
【図２】指静脈認証装置の装置構成を示すブロック図である。
【図３】指先置き部の形状を示す図である。
【図４】指先置き部の形状を示す図である。
【図５】指静脈認証装置を用いた取引を示すフローチャートである。
【図６】指静脈認証装置の表示部に表示される画面を示す図である。
【図７】従来の指静脈認証装置の指先置き部の形状を示す図である。
【発明を実施するための最良の形態】
【００１３】
以下、本発明の実施形態について図面を用いて説明する。なお、本実施形態では生体認証装置の一例として指静脈認証装置を挙げて説明をする。
【実施例１】
【００１４】
図１は、本実施形態を適用した指静脈認証装置１００の全体形状を示した外観図である。図１(ａ)は指静脈認証装置１００を上方からみた上面図である。図１（ｂ）は図１（ａ）の上面図に示したＡ−Ａ線で切断した際の右断面図である。図１（ｃ）は指静脈認証装置１００を斜め上方からみた斜視図である。【００１５】
指先面部１０１は、指静脈認証装置１００に置かれた指１１６の先端部と接する面である。指先側面部１０２は指１１６の先端部の側面と接する面である。指先底面部１０３は指１１５の先端部の底面（指の腹部分とも言う）と接する面である。指先ガイド１０４は、指静脈認証装置１００を利用する者に対して、指を置く位置を示す半円形状のガイドである。指先面部１０１、指先側面部１０２および指先底面部１０３を合わせて指先置き部１０５として総称することもできる。また、指先置き部１０５には、指先ガイド１０４を加えて総称することもできる。指先置き部１０５の詳細については後述する。なお、指１１６の先端部とは、指１１６の第一関節から先として説明するが、個人差によっては第一関節から前後する部分を含めることもできる。【００１６】
指元置き部１０６は、指静脈認証装置１００に提示された指１１６の根元を支持する支持部である。近赤外光発光部１０９は、指先置き部１０５と指元置き部１０６に置かれた指１１６の側面上方に向けて指の両側から近赤外光を発光する。本実施形態では指１１６の両側から照射しているが、近赤外光発光部１０９の配置を調整して片側から照射しても良い。撮影窓部１０７は、指先置き部１０５と指元置き部１０６の間にあり、置かれた指１１６の第一関節から第２関節の付近に位置し、指とは直接には接することはないように段差を設けて構成されている。また、撮影窓部１０７には近赤外線以上の長い波長のみを透過する近赤外透過フィルタが設置されており、近赤外光発光部１０９以外から指１１６に照射される太陽光などの外光の影響を低減している。フィルタには近赤外線以上の長い波長を透過する近赤外光透過フィルタの他、近赤外線よりも短い波長と長い波長の両方を遮断して近赤外光のみを透過するバンドパスフィルタを用いても良い。撮影窓部１０７の下方（装置の底面側）には、近赤外光発光部１０９から発光され、指１１６を透過した透過光を撮影する撮影部１０８が設けられている。【００１７】
入力部１１０は、指静脈認証装置１００を操作する際に、操作者からの入力を受け付ける。本実施形態では、入力部１１０−１〜１１０−４の４つを設けており、表示内容を選択するボタン１１０−１（ＳＥＬＥＣＴ）、表示内容を切り替えるボタン１１０−２、１１０−３（三角形の図形を表示）、入力を決定するボタン１１０−４（ＥＮＴＥＲ）としてそれぞれ機能を割り当てている。なお、入力部１１０の数は４つに限定されるものではないし、入力部１１０に割り振られる機能も本実施形態で説明する機能以外の機能が割り振られてもよい。【００１８】
表示部１１１は、生体認証を行った際に、認証成功または認証失敗などの情報を表示する表示部である。ＬＣＤ、有機ＥＬなどの表示装置によって構成される。表示部１１１に表示される画面等は後述する。なお、タッチパネルのように表示部１１１と入力部１１０が一つに統合することもできる。【００１９】
ＳＩＭカードスロット１１２は蓋形状となっており、蓋を開けるとアクセスできる図示しないスロットにＳＩＭカードを挿入／取出しする。挿入されるＳＩＭカードには、認証に用いられる生体情報のテンプレート等を記憶することができ、認証の際に活用する。なおＳＩＭカード内には制御チップが備えられていてもよく、制御チップを用いてカード内認証を行うこともできる。【００２０】
ＬＥＤ１１３は、指静脈認証装置１００の状態を示すことができる発光部である。例えば、後述する外部接続Ｉ／Ｆ１１４を用いて図示しない外部装置と接続し指静脈認証装置１００を充電する場合などでは、ＬＥＤは赤く発光させることで充電中であることを示すことができる。また、生体認証を失敗したときは認証失敗を示す色を発光させてもよい。【００２１】
外部接続Ｉ／Ｆ１１４は指静脈認証装置１００と図示しない外部装置とを接続する際に用いられる接続部である。本実施形態では、外部接続Ｉ／Ｆ１１４をＵＳＢ（Universal Serial Bus）として説明するが、ＵＳＢに限らず別の通信規格であってもよい。なお、外部装置は、ＵＳＢ等の外部接続Ｉ／Ｆ１１４と接続できるＩ／Ｆを備えたコンピュータ等である。また、外部接続Ｉ／Ｆ１１４は後述する無線通信部２０３と区別するため有線通信部と呼ぶこともできる。【００２２】
切替部１１５は、指静脈認証装置１００の電源のＯＮ／ＯＦＦを切り替えるとともに、指静脈認証装置１００と外部装置との接続を切り替える切替部である。本実施形態は、外部装置との接続を、外部接続Ｉ／Ｆ１１４を用いた接続と、無線通信を用いた接続の２種類を備えるとして説明をする。切替部１１５は、図１（Ｃ）に示すように左（矢印Ｂ方向）、中央、右（矢印Ｃ方向）と３つ場所に切り替え可能である。例えば、左（矢印Ｂ方向）に切り替えた場合はＵＳＢによる接続が選択され、右（矢印Ｃ方向）に切り替えた場合は、無線通信による接続が選択されるとしてもよい。また、中央は電源ＯＦＦが選択される。なお、本実施形態では、無線通信はＢｌｕｅｔｏｏｔｈ（登録商標）を採用していると説明をするが、Ｂｌｕｅｔｏｏｔｈ（登録商標）以外の無線通信の規格が実装されてもよい。【００２３】
段差１１９は指先底面部１０３と撮影窓部１０７の間に設けられた段差である。また、段差１２０は指元置き部１０６と撮影窓部１０７の間に設けられた段差である。点線の円で示した部分が各段差に該当し、詳細は後述する。【００２４】
図２は、本実施形態の指静脈認証装置１００の装置構成を説明するブロック図である。なお、上記で説明した構成については、重複するため省略する。【００２５】
指静脈認証装置１００は、ＣＰＵ２０１、メモリ２０２、無線通信部２０３、外部接続Ｉ／Ｆ１１４、電源部２０４、ＳＩＭカードスロット１１２、指先センサ２０５、指元センサ２０６、表示部１１１、撮影部１０８、近赤外光発光部１０９、入力部１１１、ＬＥＤ１１３、切替部１１５、音声出力部２０７とから構成され、ＢＵＳや電気回路によりそれぞれ接続されている。【００２６】
ＣＰＵ２０１は、指静脈認証装置１００の各構成を制御する制御部である。メモリ２０２は、ＣＰＵ２０１により実行されるプログラム（認証プログラム２０２−１、制御プログラム２０２−３）の他、制御に必要な情報（無線接続情報２０２−２）等を記憶する記憶部である。【００２７】
無線通信部２０３は、指静脈認証装置１００と外部装置を無線接続する通信部である。電源部２０４は、指静脈認証装置１００に電源を供給するバッテリである。電源部２０４は外部接続Ｉ／Ｆ１１４が外部装置と接続した際に、バッテリを充電することができる。【００２８】
指先センサ２０５は、指先底面部１０３に設けられたセンサであり、指先が置かれたか否かを検知する。指元センサ２０６は、指元置き部１０６に設けられたセンサであり、指元が置かれたか否かを検知する。本実施形態では指先センサ２０５および指元センサ２０６は静電センサを例に挙げて説明をするが、静電センサ以外のセンサを用いてもよい。また、物理スイッチを押されたことで指がかざれたことを検知するセンサであってもよい、
音声出力部２０７は、生体認証が失敗した際のエラー音を鳴らす、または、指静脈認証装置１００に電源が入った際等に電子音を鳴らす為のブザーなどの装置である。【００２９】
なお、本実施形態では説明を簡単にするためにプログラムが主体となって制御するような記載もあるが、実際は上記するＣＰＵ等のハードウェア資源を用いてプログラムが実行される。【００３０】
図３は、指静脈認証装置１００の指先置き部１０５と指元置き部１０６の近傍を拡大し、斜め上方からみた拡大図である。また、図４（ａ）は、指先置き部１０５の拡大上面図、図４（ｂ）は図４（ａ）をＡ―Ａ線で切断したときの右断面図である。図４（ｃ）は細い指１１７を指先置き部１０５に置いた場合の状態を示す図である。図４（ｄ）は太い指１１８を指先置き部１０５に置いた場合の状態を示す図である。本実施形態の指置き部１０５の詳細について、図３、図４を用いて説明する。【００３１】
本実施形態の指置き部１０５は、上記するように指先面部１０１、指先側面部１０２、指先底面部１０３から構成されている。【００３２】
指先面部１０１は、指先底面部１０３から鉛直上方向に略垂直に設けられた面であり、指先と二面で接触し支持するように構成される。図４（ａ）に示すように、上面からは三角形の二辺を構成するように見える。この三角形の二辺によりなす角ａは鈍角であり、細い指を突き当てた時に三角形の両辺に指の先端が接触し、指先を中央部分へと自然に誘導できるようにすると共に、太い指を置いた際に指先と干渉して生体画像の撮影に影響を与えない様に１２０度前後とすることが望ましい。また、指先面部１０１の高さｂは、爪が指先部分１００と干渉しないようにすると共に、浅くしすぎて指１１６を突き当てた時に壁面を乗り越えてしまわないような高さが望ましい。逆に高さが高い場合は、指が壁面を乗り越えないが、爪が指先面部１０１と接触してしまい、正しい位置に指を置くことができなくなってしまう。本実施形態では、指先底面部１０３から５ｍｍ程度の高さとする。【００３３】
指先側面部１０２は、指先面部１０１と繋がり、指先底面部１０３から鉛直上方向に略垂直に設けられ、置かれた指を左右から二面で支持する支持部である。指先側面部１０１の間隔ｃは、太い指を置いた時に邪魔にならないように、１５〜２０ｍｍ程度とすることが望ましい。なお、指先側面部１０２は、置かれる指が細い指である場合には、指と接触しない、あるいは、一部が接触する。そのため、指先側面部１０２は指の側面と対抗する位置にある面であるとも言える。また、指先側面部１０２自体も互いに対抗する位置にある。指先底面部１０３は、接続する指先面部１０１、指先側面部１０２の形状と段差１１９により、上面からは五角形の形をしているように見える。【００３４】
なお、本実施形態では指先置き部１０５は生産性を高めるために樹脂を加工して一体成型として作成されることを想定している。そのため、指先面部１０１および指先側面部１０２が指先底面部１０３に対して略垂直に構成される。また、指先面部１０１と指先底面部１０３の接続部が垂直ではなく緩やかなカーブを備えている。指先側面部１０２と指先底面部１０３の接続部も同様である。しかし、それぞれが別の部品で構成され、その後１つの指先置き部１０５として作成されてもよい。その場合、各部の接続箇所を垂直に接続するように構成することもできる。【００３５】
ここで、本実施形態の指先置き部１０５の効果を説明する前に、従来の指先置き部の問題点について説明する。図７（ａ）は従来使用されていた指静脈認証装置の指先置き部７０１の形状を示す図である。図７（ｂ）は図７（ａ）をＤ―Ｄ線で切断したときの右断面図である。図７（ｃ）は細い指１１７を指先置き部に置いた場合の状態を示す図である。図７（ｄ）は太い指１１８を指先置き部に置いた場合の状態を示す図である。【００３６】
図７に示す従来の指置き部の形状（以下、従来形状７０１とする）は、指の形状に合わせた丸い形状となっており、幅は太い指にあわせて１５ｍｍ程度とすることが一般的である。従来形状７０１の場合、その形状が指先を連想させるため、ユーザはどこに指を置けば良いか直感的に判断することができる利点がある。しかし、図７（ｃ）に示すとおり指先の幅が１０ｍｍ程度の細い指１１７を置いた時に、従来形状７０１では指を置く部分と指側面に隙間ができるため、指中心部分のずれ７０２が発生しても指を置くことができてしまう。また、指が突き当たる部分が半円状になっており、左右方向への移動を制限する形状ではないため、ユーザは何も制限されることなくずれた位置に指を置くことができてしまう。【００３７】
登録時と認証時で指の位置ずれが発生すると、撮影部１０８で撮影される指の画像が登録時と認証時で異なってしまうため、本人であっても他人と認識したり、他人であっても本人と認識したりする可能性が高まってしまうため、従来形状７０１では認証精度が低下してしまうという問題が発生していた。【００３８】
細い指１１７を置いた時に指がずれないようにするには、指を置く部分の幅を狭くする必要がある、しかし、細い指１１７に対応させるために幅を狭くすると、太い指１１８を置いた時に、指を置く部分に指先が入らなくなるという問題が発生してしまう。【００３９】
以上のように、従来形状７０１では細い指１１７と太い指１１８のように個人差がある指を正しく置くことが難しいという問題が生じていた。【００４０】
本実施形態による形状において、細い指１１７を置いた場合、図４（ｃ）に示すとおり指先面部分１０１の三角形部分の二辺に指１１７を突き当てることによって、指先面部１０１の二辺がなす角度ａにより自然に中央部分へと指が誘導されるため、毎回中央部の同じ位置に指を置くことが可能となる。【００４１】
また、図４（ｄ）に示すとおり、幅が太い指１１８を置いた場合、本実施形態による形状では指先面部１０１と指側面部１０２によって、前後左右の動きが制限されるため、毎回同じ位置に指を置くことが可能となる。【００４２】
以上のように、本発明による形状は、細い指１１７と太い指１１８の両方において毎回同じ位置に指を置くことが可能となる。そのため、指の位置ずれによる認証精度の劣化を防止することが可能となる。【００４３】
また、従来形状７０１では指を置いた際に指をそのまま置くことが可能であり、指を押し付けることも可能な形状であった。指を強く押し付けてしまうと指の血管の血流を阻害することとなり、指静脈の撮影や認証に影響が出る場合があった。一方、本実施例の形状では指先面部１０１の二面で指を支える構造となっているため、指を強く押し付ける構造ではない。そのため、血流を妨げることはなく、指静脈の撮影や認証に影響が出ることも少ない。特に、装置奥側（矢印Ｂ方向）に指を押し当てる場合を考えると、従来形状では指の腹を含む指全体を押しつけてしまうが、本実施形態の形状では、指先面部１０１に接する面を押しつけることになるので、影響は少ない。【００４４】
さらに本実施形態では、図３に示すとおり指先面部１０１の外側に半円状の段を設けて指形状を示す指先ガイド１０４としている。この構成により、従来形状と同様に指静脈認証装置１００を利用するユーザに対して指先の形状を連想させることができ、指を置く位置であることを判別し易くしている。なお、指先ガイド１０４は、半円状の段以外に塗装による色分け等で示しても良い。換言すると、半円状の縁に指の形状を連想させる塗装をしてもよい。【００４５】
図１（ｂ）は、指静脈認証装置１００をＡＡ線で切断した右断面図を示している。右断面図から明らかなように、指先置き部１０５と撮影窓部１０７がある面には段差１１９を設けている。同様に、指元置き部１０６と撮影窓部１０７がある面にも段差１２０を設けている。指先置き部１０５と指元置き部１０６と撮影窓部１０７にそれぞれ段差を設けることで、指先および指元の血流を妨げないという効果を備えている。換言すると、指先または指元に力が入り指先置き部１０５または指元置き部１０６に指１１８が押しつけられたとしても、段差により血流が確保され、静脈の撮影が可能となる。【００４６】
また、段差１１９、段差１２０が無い場合は、指を強く押し付けたときに、撮影窓部１０７の周辺部において指の皮膚が引っ張られる状態となるため、静脈が圧迫されて見えなくなってしまう場合がある。しかし、段差１１９、段差１２０を撮影窓部１０７から一定の間隔を離して設置することで、圧迫されて見えなくなる部分を撮影窓部１０７の外側とすることができ、指を強く押し付けたとしても正常に静脈画像を撮影することが可能である。なお、段差は段差１１９、１２０のいずれか一方しか設けない場合であっても、上記効果は有している。【００４７】
次に本実施形態の指静脈認証処理について図５を用いて説明する。図５は認証処理および取引を説明するフローチャートである。【００４８】
なお、本実施形態では、認証に使用する生体情報（指静脈）のテンプレートを既に備えた状態で説明をする。生体情報のテンプレートの作成方法については、既に公知であるため説明を省略する。なお、生体情報のテンプレートは図示しないＳＩＭカードに記憶されているとする。また、ここで説明をする取引は、銀行の取引決済を例に挙げて説明をする。具体的には、銀行で決済処理をする際に、決裁権限を持つ従業員が指静脈を用いて署名する処理について説明をする。【００４９】
初めに、指静脈認証装置１００は、外部装置から決裁情報を受信する（Ｓ１１）。本実施形態では、決裁処理を行うタイミングで決裁情報を外部装置から受信しているが、予め決裁情報を外部装置から受信をし、任意のタイミングで決済処理が行えるようにしてもよい。【００５０】
受信した決裁情報を表示部１１１に表示する（Ｓ１２）。表示部１１１に表示される情報について図６を用いて説明する。図６（ａ）は、表示部１１１に表示される決裁処理の第１の画面６０１、図６（ｂ）は、表示部１１１に表示される決裁処理の第２の画面６０２である。第１の画面６０１には「１／２」、第２の画面６０２には「２／２」とあるように、入力部１１０の入力により画面を切り替えて使用することができる。これは、表示部１１１に表示できる文字数に上限があるためである。ここでは、第２の画面６０２に示すように「２，０００，０００ＵＳＤ」を口座番号「１２３４５６７」に振り込む振込取引に関する決裁を例に挙げて説明する。このように指静脈認証装置１００の表示部１１１で取引内容を確認した後に、決裁処理を行えるため、例えば、外部装置の表示画面が悪意により改竄され正しい表示がされない場合であっても、指静脈認証装置１００側で正しい取引や振り込み先が表示されることで安全に取引を行う事ができる。【００５１】
表示部１１１に表示された情報を確認し、取引を続行するか取引を中断するかを入力部１１０により入力する。具体的には、取引を続行する場合にはＯＫボタンを押下し、取引を中断する場合はＣａｎｃｅｌボタンを押下する（Ｓ１３）。Ｃａｎｃｅｌボタンが押下された場合は（Ｓ１３：Ｃａｎｃｅｌ）、取引を中断する旨のエラーメッセージが表示され（Ｓ２０）、操作は終了する。一方、ＯＫボタンが押下された場合は（Ｓ１３：ＯＫ）、指静脈認証のステップへ進む。【００５２】
指静脈認証のステップでは、初めに表示部１１１に指１１６を提示するように表示がされる（Ｓ１４）。指１１６が指先置き部１０５および指元置き部１０６に置かれたことを指先センサ２０５および指元センサ２０６からの出力で検知すると、近赤外光発光部１０９より近赤外光が指１１６へ向けて照射され、指１１６を透過した透過光を撮影部１０８で撮影をする。【００５３】
指静脈の撮影終了後、撮影が正しく終了したかを確認する（Ｓ１５）。外光の影響などにより指静脈画像が正しく撮影できていなかった場合（Ｓ１５：Ｎｏ）、再度指１１６の提示を要求する画面を表示部１１１に表示する。指静脈画像が正しく撮影されている場合は（Ｓ１５：Ｙｅｓ）、次の指静脈認証処理（Ｓ１６）に進む。【００５４】
指静認証処理（Ｓ１６）では、撮影部１０９が撮影した指静脈画像から指静脈認証に使用する特徴量を算出し、ＳＩＭカードに記憶されている生体情報のテンプレートとマッチングを実施する。マッチングの結果、予め定められた閾値よりも高い評価結果が求められた場合は認証が成功し、閾値よりも低い場合は認証が失敗したと判断する。特徴量の算出方法や、マッチングの詳細については既に公知の技術であるため、説明は省略する。また、マッチングは指静脈認証装置１００で実施してもよいし、ＳＩＭカード内で実施してもよいし、その両方を用いて実施してもよい。装置１００とＳＩＭカードの両方で認証処理を実施した場合は、いずれかで実施した場合よりもセキュリティは高くなる。【００５５】
認証処理を実施した結果、認証に失敗した場合（Ｓ１７：Ｎｏ）、認証が失敗したことを示す表示とリトライするか否かを確認する画面が表示部１１１に表示され、リトライをする場合（Ｓ１９：Ｙｅｓ）、ステップ１４に戻り同様の処理をする。リトライをしない場合（Ｓ１９：Ｎｏ）、エラーが表示され処理を終了する。【００５６】
認証に成功した場合（Ｓ１７：Ｙｅｓ）、決裁処理を実行してもよい旨を外部装置へ送信し、処理が終了する（Ｓ１８）。【００５７】
以上より、本実施形態の指静脈認証装置１００は、指先面部１０１、指先側面部１０２、指先底面部１０３により構成された指先置き部１０５を設けることで、指１１６に個人差（細い、太い）があったとしても同じ位置に指を置かせることが可能となる。【００５８】
また、指先置き部１０５に指先ガイド１０４を設けることで、認証を使用とする者に対して指の置き場所をより明確にすることができる。また、指先置き部１０５と指元置き部１０６と撮影窓部１０７がある面に対して段差を設けることで、指１１６の血流を妨げることなく、指静脈画像を取得することができる。【００５９】
また、表示部１１１に取引に関する情報を表示することで、外部装置が悪意有るものにより画面の表示が変更されたとしても、正しい取引情報がわかるため正規の取引を実施することができる。
【実施例２】
【００６０】
実施例１では、生体情報として指静脈を取得していたが、指静脈以外の生体情報を取得する場合であっても適用する事が可能である。【００６１】
例えば、指先底面部１０３を透明な材用で構成し、指先底面部１０３にある指先センサ２０５を指紋が撮影可能なセンサにすることで、指紋により認証する指紋認証装置として使用することができる。また、指紋のみで認証するだけでなく、指紋と指静脈の両方を用いた、いわゆるマルチモーダルな運用も可能となる。複数の生体情報を用いることで、よりセキュリティを高めることができる。【００６２】
なお、本発明は上記した実施例に限定されるものではない。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００６３】
１００：指静脈認証装置、１０１：指先面部分、１０２：指先側面部、１０３：指先底面部、１０４：指先ガイド、１０５：指先置き部、１０６：指元置き部、１０７：撮影窓部、１０８：撮影部、１０９：近赤外光発光部、１１０：入力部、１１１：表示部、１１２：ＳＩＭカードスロット、１１３：ＬＥＤ、１１４：外部接続Ｉ／Ｆ、１１５：切替部、１１９、１２０：段差
【図１】
0006638067.tif 000002
【図２】
0006638067.tif 000003
【図３】
0006638067.tif 000004
【図４】
0006638067.tif 000005
【図５】
0006638067.tif 000006
【図６】
0006638067.tif 000007
【図７】
0006638067.tif 000008